(57)【要約】【課題】トレードショー及びその他のマーケティング又は産業イベントのようなイベント向けに、印刷文書の配布コストを低減するシステム及び方法を提供する。【解決手段】文書のコピーを提供するシステムであって、文書デジタルデータセットを記憶するメモリ２３０と、文書識別子を受け取る文書識別子受領回路２６０と、送達情報を受け取る送達情報受領回路２７０と、文書識別子に基づいて蓄積された文書デジタルデータセットの中から、一つの文書デジタルデータセットを識別する文書識別子マッチング回路２８０と、一つ又はそれ以上の出力装置及び送達アドレス関連付け回路２９０とを備え、出力装置は、識別された文書のコピーを出力し、送達アドレス関連付け回路２９０は、識別された文書のコピーを送達アドレスに送達するために、識別された文書デジタルデータセットを送達情報に基づいて送達アドレスに関連付ける。【選択図】図３
2005182828.tif 000002
【特許請求の範囲】
【請求項１】
文書のコピーを提供する方法であって、
第1の媒体の上に、前記第1の媒体とは異なる第2の媒体の上で提供された文書識別子を受けるステップと、
前記文書識別子に基づいて、複数の蓄積文書の中から、一つの蓄積文書を識別するステップと、
前記識別された文書をコピーするステップと、
を包含する、方法。
【請求項２】
文書のコピーを提供するシステムであって、
文書デジタルデータセットを記憶するデータベースと、
文書識別子を受け取る文書識別子受領回路、ルーチン、又はアプリケーションと、
送達情報を受け取る送達情報受領回路、ルーチン、又はアプリケーションと、
前記文書識別子に基づいて、前記蓄積された文書デジタルデータセットの中から、一つの文書デジタルデータセットを識別する文書識別子マッチング回路、ルーチン、又はアプリケーションと、
一つ又はそれ以上の（ａ）出力装置及び（ｂ）送達アドレス関連付け回路、ルーチン、又はアプリケーションと、
を備え、
前記出力装置は、前記識別された文書のコピーを出力し、
前記送達アドレス関連付け回路、ルーチン、又はアプリケーションは、前記識別された文書のコピーを送達アドレスに送達するために、前記識別された文書デジタルデータセットを前記送達情報に基づいて前記送達アドレスに関連付ける、システム。
【請求項３】
文書のコピーを提供する方法であって、
文書デジタルデータセットを、前記文書デジタルデータセットの少なくとも一つをコピーするように適合された配布センタにて利用可能にするステップと、
前記配布センタに、前記文書デジタルデータセットの前記少なくとも一つを、前記文書デジタルデータセットの前記少なくとも一つに特有に関連した文書識別子と共に提示されたときにコピーし且つ配布することを許可するステップと、
前記文書識別子を要求者に提供するステップと、
を包含する、方法。
【発明の詳細な説明】
【技術分野】
【０００１】
本発明は、文書識別子に基づいて、トレードショーのようなイベントの文書を提供するシステム及び方法に関している。
【背景技術】
【０００２】
ビジネスでは、トレードショー及びその他のマーケティング又は産業イベントのようなイベントにて、製品情報のような印刷された文書を依然として大量に配布している。潜在的な顧客への配布用に印刷された文書を準備することに関連して、著しいコストが存在する。文書は、イベントに先立って作成され、イベントへ発送され、且つイベントにて管理されなければならない。加えて、余った印刷文書は、イベントから発送されるか、あるいは廃棄される必要がある。
【０００３】
さらに、イベント参加者は、彼または彼女が興味を持った印刷文書を全て持ち、イベント中にブースからブースへ、イベント後にホテル及び／又は空港に且つ彼または彼女のオフィスへの帰途ずっと、印刷文書を持ち運ぶという負担を担わなければならない。
【発明の開示】
【発明が解決しようとする課題】
【０００４】
本発明は、トレードショー及びその他のマーケティング又は産業イベントのようなイベント向けに、印刷文書の配布コストを低減するシステム及び方法を提供する。
【課題を解決するための手段】
【０００５】
様々な例示的な実施形態において、本発明は、イベント出展者が、後の時点での印刷のために文書をオンラインで保管場所にアップロードするシステム及び方法を提供する。
【０００６】
様々な例示的な実施形態において、本発明は、イベント参加者が、イベント中に一群の文書識別子を集めて、後の時点で印刷された文書を受け取るシステム及び方法を提供する。
【０００７】
様々な例示的な実施形態において、本発明は、イベント参加者が、ある媒体上に存在する媒体とは異なる文書識別子を集め、参加者がその文書識別子を提出して印刷文書を受け取るシステム及び方法を提供する。
【０００８】
様々な例示的な実施形態において、本発明は、イベント参加者が、トークンの形態の文書識別子を集め、その後にそのトークンを提出して所望の文書の綴じられたハードコピーをイベントから受け取るシステム及び方法を提供する。
【０００９】
様々な例示的な実施形態において、本発明は、バーコードの形態の文書識別子を配布するシステム及び方法を提供する。
【００１０】
様々な例示的な実施形態において、本発明は、無線周波数識別子（ＲＦＩＤ）、データグリフ、又はその他の印刷されたコードを含むビジネスカードの形態の文書識別子を配布するシステム及び方法を提供する。
【００１１】
様々な例示的な実施形態において、本発明は、パーソナルデータ端末（ＰＤＡ）、携帯電話、ノートブックコンピュータ、またはポケットパーソナルコンピュータ（ポケットＰＣ）への赤外データ関連（ＩｒＤＡ）転送にて使用される文書識別子を配布するシステム及び方法を提供する。
【００１２】
様々な例示的な実施形態において、本発明は、スマートバッジ又はスマートパスの形態の文書識別子を配布するシステム及び方法を提供する。
【００１３】
様々な例示的な実施形態において、本発明は、イベント参加者のプロファイル情報、登録バッジ、又はイベント参加者識別子に含まれるアドレスに、印刷文書を送達するシステム及び方法を提供する。
【００１４】
様々な例示的な実施形態において、本発明に従ったシステム及び方法は、イベント出展者が、イベント参加者による収集のために利用可能な文書デジタルデータセットをアップロードすることを可能にする。イベントの間に、イベント参加者は、利用可能な文書デジタルデータセットに関連した文書識別子を選択し且つ集める。各文書識別子は、特定の文書デジタルデータセットを参照する。収集された文書識別子は、選択された文書を印刷し且つ送達してもらうために、参加者のプロファイル情報と共に文書生成センタに提出されてもよい。
【００１５】
様々な他の例示的な実施形態において、本発明に従ったシステム及び方法は、広告者が広告とともに雑誌に広告識別子を配置することを可能にする。読者はその識別子を集め、読者情報と共にその識別子を情報センタに提出して、その広告及び広告された製品又はサービスに関する付加的な情報を含む印刷文書を得る。
【００１６】
本発明のこれら及びその他の特徴及び効果は、本発明に従ったシステム及び方法の様々な例示的な実施形態の以下の詳細な記述に記載され、あるいはそれらから明らかである。
【発明を実施するための最良の形態】
【００１７】
本発明のシステム及び方法の様々な例示的な実施形態は、以下の図面を参照して、詳細に説明される。
【００１８】
本発明に従ったシステム及び方法の様々な例示的な実施形態は、文書識別子に基づいて印刷文書を提供する。以下の記載は、イベントシナリオに基づいているが、これに限られるものではない。本発明に従って文書識別子に基づいて印刷文書を提供するシステム及び方法は、マーケティング又は産業イベントにて文書識別子に基づいて印刷文書を提供したり、あるいは雑誌又はその他のコンテクストにおける広告に導入された製品又はサービスに関する印刷文書の形態の付加的情報を提供したりするためにも、適用され得る。
【００１９】
図１は、本発明に従った例示的な実施形態における、イベントでの印刷文書の流れを描いている。図1に示されているように、イベント１００において、イベント出展者１０１は、文書保管場所１０２に文書をアップロード又は保管する。様々な例示的な実施形態にて、イベント出展者は、その製品及び／又はサービスをプロモートするビジネスの代表者である。様々な例示的な実施形態では、イベント出展者１０１は、イベントの異なるブースで彼らの製品又はサービスを提示する。
【００２０】
様々な例示的な実施形態において、文書保管場所１０２は、例えばパンフレットやチラシのようなビジネスの製品及びサービスを紹介しプロモートする文書のロードされたコピーを記憶するデジタル装置である。様々な例示的な実施形態において、文書はデジタルデータセットであり、各々のデジタルセットは、以下に十分に詳細に論じられるように、特有の文書識別子によって識別可能である。様々な例示的な実施形態において、文書のロードされたコピーは表示される。
【００２１】
様々な例示的な実施形態において、各々のイベント出展者１０１は異なる文書保管場所１０２を使用して、そのイベント出展者１０１によって代表されるビジネスの製品又はサービスに関係した文書をアップロードし記憶する。様々な他の例示的な実施形態において、２人又はそれ以上のイベント出展者１０１が一つの文書保管場所１０２を共有している。
【００２２】
図１に示されているように、イベント参加者１０３は、イベント出展者１０１から文書識別子１０４を選択して収集する。様々な例示的な実施形態において、文書識別子は、文書保管場所１０２の中の一つの文書に特有に関連付けられている。様々な例示的な実施形態において、文書識別子１０４は、文書保管場所１０２で文書が記憶され又は表示される媒体とは異なる媒体の上に設けられ又は担持される。例えば、文書はコンピュータスクリーン上に表示され得る一方で、文書識別子１０４は、プラスチック片の上に担持され得る。様々な例示的な実施形態において、文書識別子１０４は、データグリフのような読み取り又はスキャン可能な情報又はバーコードのようなその他の印刷されたコードを含むチップのようなトークンの形態である。様々な例示的な実施形態において、文書識別子１０４は無線周波数識別子（ＲＦＩＤ）の形態である。様々な例示的な他の実施形態において、文書識別子１０４は、データグリフ、あるいはバーコードのようなその他の印刷されたコードを含むビジネスカードの形態である。様々な他の例示的な実施形態において、文書識別子１０４はスマートバッジ又はスマートパスの形態である。様々な他の例示的な実施形態において、文書識別子１０４は、パーソナルデータ端末（ＰＤＡ）、携帯電話、ノートブックコンピュータ、又はポケットパーソナルコンピュータ（ポケットＰＣ）へ転送されることができる赤外データ関連（ＩｒＤＡ）の形態である。
【００２３】
様々な例示的な実施形態において、イベント参加者１０３は、イベント出展者１０１にて表示されている文書のロードされたコピーを見ることによって、文書識別子１０４を選択する。様々な例示的な実施形態において、イベント参加者１０３は、例えばイベント出展者１０１から手渡された選択された文書識別子１０４を受け取ったり、テーブル、箱、棚などから文書識別子１０４を手作業で取り上げたりするような個人的な行為によって、選択された文書識別子１０４を選ぶ。
【００２４】
様々な例示的な実施形態において、イベント参加者１０３は、文書に関連したデータグリフあるいはその他の印刷されたコードを含むビジネスカードの形態の文書識別子１０４を収集する。様々な他の例示的な実施形態において、イベント参加者は、参加者のパーソナルデータ端末、携帯電話、ノートブックコンピュータ、又はポケットパーソナルコンピュータへ転送され得る赤外データ関連の形態の文書識別子１０４を受け取る。様々な他の例示的な実施形態において、イベント参加者は、文書を識別するスマートバッジ又はスマートパスをスキャンするスキャナを持ち、そのスマートバッジ又はスマートパスをスキャンすることによって文書識別子１０４を受け取る。
【００２５】
様々な例示的な実施形態において、イベント参加者１０３は、イベント参加者のプロファイル情報を含むイベント登録バッジを有する。様々な例示的な実施形態において、プロファイル登録情報は、印刷された又は電子文書を受け取るためのｅメールアドレス、ＦＡＸ番号、又は郵便住所のような送達情報を含む。様々な例示的な実施形態において、プロファイル情報は、バーコード又はデータグリフの形態である。様々な例示的な実施形態において、プロファイル情報は無線周波数識別子（ＲＦＩＤ）の形態である。
【００２６】
様々な例示的な実施形態において、イベント参加者１０３が異なるイベント出展者１０１を訪ね、文書保管場所１０２に記憶されたデジタル文書のディスプレイを見て、イベント参加者が興味を持った文書に関連した文書識別子を収集した後に、参加者は収集した文書識別子を、おそらくは参加者のプロファイル情報とともに文書生成センタ１０５に提出して、収集した文書識別子に対応する文書の印刷されたコピーを受領する。様々な例示的な実施形態において、文書生成センタ１０５は、イベント出展者１０１が居る場所とは異なる地点に設けられている。様々な例示的な実施形態において、イベント参加者１０３は個人的な相互行為によって、例えば、収集した文書識別子１０４を配布センタ１０５にいる係に手渡すことによって、あるいは収集した文書識別子１０４を手作業で配布センタ１０５のテーブル、箱、棚などに置くことによって、収集した文書識別子１０４を提出する。
【００２７】
様々な例示的な実施形態において、文書生成センタ１０５は、収集された文書識別子をイベント参加者のプロファイル情報とともに受け取る。様々な例示的な実施形態において、文書生成センタ１０５は、文書情報をトークンから受け取り、文書情報を無線周波数識別子（ＲＦＩＤ）、データグリフ又はその他の印刷されたコードを含むビジネスカードからスキャンし、文書情報をスマートバッジ又はスマートパスから検出し、あるいは、文書情報をパーソナルデータ端末（ＰＤＡ）、携帯電話、ノートブックコンピュータ、又はポケットパーソナルコンピュータ（ポケットＰＣ）から転送される赤外データ関連（ＩｒＤＡ）から受け取る。
【００２８】
様々な例示的な実施形態において、文書生成センタ１０５は、収集した文書識別子の提出、及びおそらくはイベント参加者のプロファイル情報の提出のためにも、イベントの出口に又はその近傍に位置している。様々な他の例示的な実施形態において、文書生成センタ１０５は、イベントの開催場所とは異なる場所に位置している。そのような例示的な実施形態では、イベント参加者は、文書識別子及びイベント参加者のプロファイル情報をイベント後ののちの時点で提出して、文書の電子コピー又は印刷されたコピーを受け取る。
【００２９】
様々な例示的な実施形態において、各々の文書は、イベント参加者の情報を受け取ることができる装置を使って、イベント出展者によって又はブースにて表示される。様々な例示的な実施形態において、イベント参加者は、イベント出展者を訪ねると、彼または彼女のイベント登録バッジを表示装置にスキャンし、彼または彼女が興味を持っている文書が表示される。例えば、イベント参加者は、彼または彼女のイベント登録バッジを文書に関連したスキャナにてスキャンしてもよい。イベント参加者はまた、文書に関連したスキャナにて、イベント出展者にイベント参加者のイベント登録バッジをスキャンさせても良い。そのような例示的な実施形態では、イベント参加者の関心のある文書とイベント参加者のイベント登録バッジ情報とは文書生成センタ１０５に自動的に提出され、イベント参加者のために所望の文書が印刷される。
【００３０】
図１に示されているように、文書生成センタ１０５は、文書保管場所１０２にアップロードされた利用可能な文書を受け取り且つ／又は記憶する。収集された文書識別子及びイベント参加者のプロファイル情報の受領時には、様々な例示的な実施形態において、文書生成センタ１０５は、収集された文書識別子に関連した文書を識別し、イベント参加者に利用可能なその識別された文書のコピーを作成する。様々な例示的な実施形態において、文書のコピーは印刷され、イベント参加者宛てに、イベント参加者のプロファイル情報に示されたアドレスまで送達ユニット１０６によって送達される。様々な他の例示的な実施形態において、文書のコピーはイベント参加者に電子的に、例えば、イベント参加者のプロファイル情報に示されたイベント参加者のｅメールアドレスまで転送される。
【００３１】
様々な例示的な実施形態において、収集された文書識別子１０４を文書生成センタ１０５が受け取る媒体は、文書識別子が設けられ又は担持される媒体とは異なっている。例えば、文書識別子１０４は、トークン、ビジネスカード、又はスマートバッジの形態のプラスチック片又は他の材料片の上に与えられ得るが、文書生成センタ１０５は、収集された文書識別子を、そのプラスチック又は他の材料をスキャナでスキャンすることによって受け取り得る。様々な例示的な実施形態では、文書生成センタ１０５が収集された文書識別子１０４を受け取る媒体は、利用可能な文書がイベント出展者１０１のブースで表示されている媒体とは異なっている。例えば、文書生成センタ１０５は収集された文書識別子をスキャン可能な基材からスキャナを介して受け取り得る一方で、文書は、イベントのブースでコンピュータ上に表示され得る。
【００３２】
図２は、文書識別子に基づいて文書を提供するための方法の例示的な実施形態のアウトラインを示す流れ図である。図２に示されているように、ステップＳ１００から開始して、この方法の処理はステップＳ１１０に続き、文書生成センタがトレードショーパンフレットなどのためのデジタルデータセットのような文書デジタルデータセットを受領又は記憶する。次に、ステップＳ１２０にて、文書生成センタは、トークンのような文書識別子キャリアから収集された文書識別子を受け取る。それから、ステップＳ１３０にて、文書生成センタは、文書識別子に関連したプロファイル情報に含まれる送達情報を受け取る。様々な例示的な実施形態では、ステップＳ１１０、Ｓ１２０、及びＳ１３０が発生する順番は、文書生成センタが特定の具現化のために必要なステップＳ１１０、Ｓ１２０、及びＳ１３０で示される全ての情報を受け取る限りは、重要ではない。
【００３３】
次に、ステップＳ１４０にて、文書生成センタは、適切な文書識別子を文書デジタルデータセットとマッチングすることによって、記憶されている文書デジタルデータセットから一つの文書デジタルデータセットを識別する。それから、ステップＳ１５０にて、文書生成センタは、受け取った送達情報に示されているイベント参加者のような文書識別子を提出した関係者（party）が利用可能な、識別された文書のコピーを作成する。文書のコピーは、例えば、印刷されたハードコピーの形態であっても、あるいは電子文書であっても良い。
【００３４】
次に、ステップＳ１６０にて、文書生成センタは、例えば文書の印刷されたハードコピーを送達情報に基づいた住所に発送することによって、あるいは電子文書を送達情報に基づいたｅメールアドレス又はＦＡＸ番号に送信することによって、文書のコピーを関係者に送達する。処理はそれからステップＳ１７０に続き、この方法の処理はここで終了する。
【００３５】
図３は、このイメージに従った文書配布センタの例示的な実施形態の機能的ブロック図である。図３に示されているように、文書配布システム２００は、入力／出力（Ｉ／Ｏ）インターフェース２１０、コントローラ２２０、メモリ２３０、文書デジタルデータセット受領回路、ルーチン、又はアプリケーション２５０、文書識別子受領回路、ルーチン、又はアプリケーション２６０、送達情報受領回路、ルーチン、又はアプリケーション２７０、文書識別子マッチング回路、ルーチン、又はアプリケーション２８０、及び送達アドレス関連付け回路、ルーチン、又はアプリケーション２９０を含み、これらの各々は一つ又はそれ以上の制御及び／又はデータバス及び／又はアプリケーションプログラミングインターフェース２４０によって相互接続されている。
【００３６】
図３に示されているように、文書配布システム２００は、様々な例示的な実施形態において、プログラマブル汎用コンピュータ上で実現される。しかし、システム２００はまた、専用コンピュータ、プログラムされたマイクロプロセッサ又はマイクロコントローラ及び周辺集積回路素子、ＡＳＩＣ又はその他の集積回路、デジタルシグナルプロセッサ（ＤＳＰ）、ディスクリート素子回路のようなハードワイヤド電子又は論理回路、ＰＬＤ、ＰＬＡ、ＦＰＧＡ、又はＰＡＬのようなプログラマブル論理装置などにて具現化されることができる。一般に、図２に示される流れ図を具現化することができる有限状態マシンを具現化することができる任意の装置を、文書配布システム２００を具現化するために使用することができる。
【００３７】
入力／出力（Ｉ／Ｏ）インターフェース２１０は、文書配布システム２００の外部と相互通信する。様々な例示的な実施形態において、入力／出力（Ｉ／Ｏ）インターフェース２１０は、一つ又はそれ以上のリンク３１０を介して入力／出力インターフェース２１０に接続された一つ又はそれ以上の入力装置３００から、入力を受け取り得る。入力／出力インターフェース２１０は、識別された文書又は文書群の電子コピーを、印刷及び引き続く送達のために、あるいは一つ又はそれ以上のリンク４１０を介した電子的送信のために、出力し得る。一つ又はそれ以上の入力装置３００は、データグリフ、バーコード、赤外データ関連、スマートバッジなどに埋め込まれた情報を読むことができるか、あるいは無線周波数識別子（ＲＦＩＤ）から信号を受領することができるスキャナ、センサ、又は検出器であり得る。出力４００は、文書のコピーを関係者に利用可能にすることができるプリンタ、ディスプレースクリーン、又はインターネット接続であり得る。
【００３８】
リンク３１０及び４１０は、直接接続であることができ、又はモデム、ローカルエリアネットワーク、ワイドエリアネットワーク、イントラネット、インターネット、又は任意の他の分散型処理ネットワーク、あるいは任意の他の既知の又は後に開発される接続装置のような接続装置を使用して具現化されることができる。
【００３９】
図３に示されるように、メモリ２３０は文書デジタルデータセット部２３１を含む。文書デジタルデータセット部２３１は、トレードショーのようなイベントのためのデジタル文書を記憶する。メモリ２３０は、文書配布システム２００の機能を具現化するために必要な任意のデータ及び／又はプログラムもまた記憶し得る。メモリ２３０は、書き換え可能、揮発性、又は不揮発性のメモリ、あるいは書き換え不可能又は固定メモリの任意の適切な組み合わせを使用して具現化されることができる。書き換え可能メモリは、揮発性であっても不揮発性であっても、一つ又はそれ以上のスタティック又はダイナミックＲＡＭ、フロッピー（登録商標）ディスク及びディスクドライブ、書き込み可能又は再書き込み可能な光学ディスク及びディスクドライブ、ハードドライブ、フラッシュメモリなどを使用して具現化されることができる。同様に、書き換え不可能な又は固定メモリは、一つ又はそれ以上のＲＯＭ、ＰＲＯＭ、ＥＰＲＯＭ、ＥＥＰＲＯＭ、ＣＤ−ＲＯＭ又はＤＶＤ−ＲＯＭディスクのような光学ＲＯＭディスク及びディスクドライブなどを使用して、具現化されることができる。
【００４０】
図３に示される文書配布システム２００の例示的な実施形態において、文書デジタルデータセット受領回路、ルーチン、又はアプリケーション２５０が文書を受け取る。文書識別子受領回路、ルーチン、又はアプリケーション２６０は、イベント参加者のような関係者から、収集された文書識別子を受け取る。送達情報受領回路、ルーチン、又はアプリケーション２７０は、イベント参加者のような関係者の送達情報を受け取る。
【００４１】
様々な例示的な実施形態において、イベント参加者の送達情報は、そのイベント参加者のプロファイル情報に含まれている。プロファイル情報は、イベント参加者のイベントバッジに埋め込まれ得る。例えば、イベントへの登録時に、イベント参加者はイベントバッジを得て、これが、イベント参加者のｅメールアドレス、ＦＡＸ番号、及び／又は郵便住所を、印刷された形態、又は磁気ストライプの形態、あるいはバーコードのような他の印刷コードの形態で、恐らくはイベント参加者の他の識別情報と共に含む。様々な他の例示的な実施形態において、イベント参加者の送達情報はあらかじめ記憶されていないが、例えばイベント参加者が収集された文書識別子の提出時に送達情報フォームに記入すると、利用可能になる。
【００４２】
文書識別子マッチング回路、ルーチン、又はアプリケーション２８０は、文書デジタルデータセット部２３１に記憶された複数の文書デジタルデータセットから、文書識別子を文書デジタルデータセットとマッチングすることによって一つの文書デジタルデータセットを識別する。送達アドレス関連付け回路、ルーチン、又はアプリケーション２９０は、識別された文書デジタルデータセットを、送達情報に基づいて送達用のアドレスと関連付ける。
【００４３】
文書配布システム２００の例示的な実施形態の処理において、入力／出力インターフェース２１０は、コントローラ２２０の制御の下で、一つ又はそれ以上の入力装置３００から入力を受け取る。これには、文書デジタルデータセット、収集された文書識別子、及び送達情報を含む。文書デジタルデータセット受領回路、ルーチン、又はアプリケーション２５０は、コントローラ２２０の制御の下で、文書デジタルデータセットをメモリ２３０に記憶する。文書識別子受領回路、ルーチン、又はアプリケーション２６０は、コントローラ２２０の制御の下で、収集された文書識別子を分析し、必要であれば、収集された文書識別子をデコードする。送達情報受領回路、ルーチン、又はアプリケーション２７０は、コントローラ２２０の制御の下で、送達情報を分析する。様々な例示的な実施形態において、送達情報受領回路、ルーチン、又はアプリケーション２７０は、送達情報の分析前に、関係者のプロファイル情報から送達情報をデコード又は抽出する。
【００４４】
いくつかの実施形態では、送達情報受領回路、ルーチン、又はアプリケーション２７０、文書識別子マッチング回路、ルーチン、又はアプリケーション２８０、及び／又は送達アドレス関連付け回路、ルーチン、又はアプリケーション２９０は、省略され得る。例えば、文書識別子の受領に応答して、文書配布システム２００は、対応する文書をローカルプリンタ又は記録装置に直接に出力して、印刷するか、あるいは光磁気又はその他の記録媒体にコピーしてもよい。印刷された文書又は記憶媒体はそれから、例えば参加者がイベント会場を離れるときに、イベント参加者に直接渡されてもよい。
【００４５】
文書識別子マッチング回路、ルーチン、又はアプリケーション２８０は、コントローラ２２０の制御の下で、収集された文書識別子にマッチングする文書デジタルデータセットをメモリ２３０から識別する。送達アドレス関連付け回路、ルーチン、又はアプリケーション２９０は、コントローラ２２０の制御の下で、識別された文書又は文書群を、送達情報に基づいて送達アドレスに関連付ける。入力／出力インターフェース２１０はそれから、コントローラ２２０の制御の下で、識別された文書／文書を、印刷及び送達のために、又は送達アドレスへの電子的送信のために、出力する。
【００４６】
特定の実施形態が記載されてきたが、代替、改変、及び変化が本発明の精神及び範囲内で具現化され得る。
【図面の簡単な説明】
【００４７】
【図１】本発明に従った例示的な実施形態におけるイベントでの印刷文書の流れを描く図である。
【図２】本発明に従った文書識別子に基づいて文書を提供する方法の例示的な実施形態のアウトラインを示す流れ図である。
【図３】本発明に従った文書配布システムの例示的な実施形態の機能的ブロック図である。
【符号の説明】
【００４８】
１００  イベント、１０１  イベント出展者、１０２  文書保管場所、１０３  イベント参加者、１０４  文書識別子、１０５  文書生成センタ、１０６  送達ユニット。
【図１】
2005182828.tif 000003
【図２】
2005182828.tif 000004
【図３】
2005182828.tif 000005